(57)【要約】【課題】  内部からの水の流出を容易に調節可能にするとともに、内部に水を長期間溜めず、水垢と花卉の腐敗に伴う悪臭発生を低減可能な花立てを提供する【解決手段】  花立て本体と底面部の形成する空間内に水又は水溶液を注いで花卉を配置し、墓石の花立て台に収める花立てが、花立ての内側と外側を連通させるように底面部に水抜き孔を設けるとともに、水抜き部材を水抜き孔に挿脱自在に設けて、花立て本体に注がれた水又は水溶液の水抜き孔からの排出を調節可能に構成していることにより、内部からの水の流出を容易に調節可能となるとともに、内部に水を長期間溜めず、水垢と花卉の腐敗に伴う悪臭発生が低減可能となる。【選択図】  図２
2005155050.tif 000002
【特許請求の範囲】
【請求項１】
花立て本体と底面部の形成する空間内に水又は水溶液を注いで花卉を配置し、墓石の花立て台に収める花立てにおいて、花立ての内側と外側を連通させるように底面部に水抜き孔を設けるとともに、水抜き部材を水抜き孔に挿脱自在に設けて、花立て本体に注がれた水又は水溶液の水抜き孔からの排出を調節可能に構成している花立て。
【請求項２】
花立ては、水分を浸透可能な水浸透部材を備えており、水浸透部材は、花立てに注がれた水に接するとともに、花立ての内側から外側まで連なるように、水抜き部材及び／又は水抜き孔に設けられている請求項１記載の花立て。
【請求項３】
水抜き部材は、水抜き螺子であり、水抜き孔は水抜き螺子に螺合可能に形成されている請求項１又は２記載の花立て。
【請求項４】
水抜き部材は、結束構造体又は、結束構造体を複数束ねた結束体である請求項１又は２記載の花立て。
【請求項５】
底面部は水抜き孔を複数設け、夫々の水抜き孔に水抜き部材を挿脱自在に設けた請求項１乃至４のいずれか１項記載の花立て。
【請求項６】
底面部は、底板を備えて、水抜き穴を底板に貫通形成するとともに、水抜き孔の上方位置に、濾過板及び／又は網状構造体を設けている請求項１乃至５のいずれか１項記載の花立て。
【発明の詳細な説明】
【技術分野】
【０００１】
本発明は、花卉を配置し墓石に設けた花立て台に収める花立てに関し、より詳しくは、花立て内部に注がれた水の滞留と、配設された花卉の腐敗等によって生じる悪臭等を低減可能な花立てに関する。
【背景技術】
【０００２】
墓石や墓前等に設けた花立て台の中に収めて、内部に花卉を配して水を注いで使用される花立てとしては、側面部と底面部とを一体に成形してなるステンレス製の筒状体が知られている。この花立ては、その内側に注がれた水を長期間滞留させるものであり、水の滞留の長期化に伴い水垢や花卉の腐敗等を招くとともに、悪臭や微生物の繁殖等を発生させて不潔になる虞があり、さらに、悪臭などが生じてしまうと、花立ての清掃も難儀なものとなるという欠点があった。
【０００３】
特許文献１には、墓石の前に配置するステンレス花立てにおいて、円筒形の底部のある容器体の外部へ自由に上下移動するリング部を設けて、使用しないときは墓石をくりぬいた穴の中へ逆様にして中に収め、使用するときは逆様にせず、ステンレス底部に設けた水抜き穴に、医療用カプセルを挿入して、時間の経過とともに自然と水抜きが可能となる花立てが開示されている。
【０００４】
【特許文献１】実用新案登録第３０８６４４６号公報
【発明の開示】
【発明が解決しようとする課題】
【０００５】
特許文献１の花立ては、医療用のカプセルが自然に溶解することに伴って花立てに注がれた水の流出を可能とするように構成しているが、水へのカプセルの溶解効率は気温などの気象条件等に影響されるため、この花立ては、カプセルの設置されたままの状態で水の流出を使用者の恣意で調節ものである。すなわち、この花立ては、一旦カプセルの設置後に水の流出速度を変更するためには、最初に設置したカプセルに対して水への溶解速度を異にするカプセルを予め別途用意し、この花立てから花卉を取り出して水を排出し、新たに用意したカプセルを設置し、また再び水を花立てに満たして花卉を供える必要があるという欠点があった。
【０００６】
本発明は、内部からの水の流出を容易に調節可能にするとともに、内部に水を長期間溜めず、水垢と花卉の腐敗に伴う悪臭発生を低減可能な花立てを提供することを目的とする。
【課題を解決するための手段】
【０００７】
本発明は、（１）花立て本体と底面部の形成する空間内に水又は水溶液を注いで花卉を配置し、墓石の花立て台に収める花立てにおいて、花立ての内側と外側を連通させるように底面部に水抜き孔を設けるとともに、水抜き部材を水抜き孔に挿脱自在に設けて、花立て本体に注がれた水又は水溶液の水抜き孔からの排出を調節可能に構成している花立て、（２）花立ては、水分を浸透可能な水浸透部材を備えており、水浸透部材は、花立てに注がれた水に接するとともに、花立ての内側から外側まで連なるように、水抜き部材及び／又は水抜き孔に設けられている上記（１）記載の花立て、（３）水抜き部材は、水抜き螺子であり、水抜き孔は水抜き螺子に螺合可能に形成されている上記（１）又は（２）記載の花立て、（４）水抜き部材は、結束構造体又は、結束構造体を複数束ねた結束体である上記（１）又は（２）記載の花立て、（５）底面部は水抜き孔を複数設け、夫々の水抜き孔に水抜き部材を挿脱自在に設けた上記（１）乃至（４）のいずれか１つに記載の花立て、（６）底面部は、底板を備えて、水抜き穴を底板に貫通形成するとともに、水抜き孔の上方位置に、濾過板及び／又は網状構造体を設けている上記（１）乃至（５）のいずれか１つに記載の花立て、を要旨とする。
【発明の効果】
【０００８】
本発明によれば、水抜き孔と、これに挿脱自在に水抜き部材を設けて、水抜き穴からの水の流出を調節可能に構成しているから、花立てに注がれた水が内部に溜まらず、水垢と花卉の腐敗に伴う悪臭発生を低減することができる。
また、水抜き穴及び／又は水抜き部材に、水浸透部材を設けることにより、花立て本体内の水量が少なくても、水浸透部材を伝って水抜き穴からの水の流出を容易にすることができる。
また、水抜き部材を螺子状にするとともに、水抜き穴と水抜き部材を螺合可能に構成することによって、内部の水の量が多くても、水抜き部材が容易に落下することなく、しかも、水抜き穴と水抜き部材との螺合の程度に応じて、水抜き穴からの水の流出をより容易に調節することができる。
水抜き部材を結束体又は結束構造体とすることによって、水抜き穴からの水の流出を調節可能に構成しているから、花立てに注がれた水が内部に溜まらず、水垢と花卉の腐敗に伴う悪臭発生を低減することができる。
また、花立ては、水抜き孔を複数設けることにより、より長持ちさせることが可能となり、より水の流出の調節を多様化できる。
さらに、花立ての底面部が、底板を備えて、水抜き穴を底板に貫通形成するとともに、水抜き孔の上方位置に、濾過板及び／又は網状構造体を設けていることにより、水抜き孔の目詰まりが効果的の防止でき、効率よい水の流出が可能になる。
【発明を実施するための最良の形態】
【０００９】
本発明における花立ての実施の形態について図面を参照しつつ説明する。
なお、本発明の花立てには、その中へ防腐剤等を溶かした水溶液が注がれることも可能であるが、以下の実施の形態においては、水が花立てに注がれる場合につき説明する。
図１は、本発明における花立ての実施例の１つを説明するための部分断面斜視図である。
図２は、図１のI―I断面図である。
図３は、本発明における花立ての使用例の１つを説明するための断面図である。
図４は、本発明のおける花立ての他の実施例を説明するための、図１のI―I断面図に対応する図面である。
【００１０】
本発明における花立て１は、図１、図２に示すように、略円筒形状の花立て本体２の下方側（Ａ方向側）に底面部を有するとともに、花立て本体２の上方側（B方向側）を開口しており、底面部は、底板５と、底板５の側周囲と花立て本体２の内側面との隙間を埋めつつ底板５を花立て本体２の内側面に固着するコーティング部６と、底板５の略中心部を貫通形成された水抜き穴８と、水抜き穴８に対して挿脱自在に水抜き部材としての水抜き螺子１０を設けており、底板５の上方に網状構造体４を敷設するとともに、網状構造体４の上方に濾過板３を敷設してなる。
【００１１】
底板５は、花立て本体２の内径と略同一径の円盤厚板状体から、底面の略中心部位置において水抜き螺子１０の螺子頭よりやや大きな円形状にえぐって陥没を形成するとともに、底面の端縁から中心方向に溝状に切り欠いてなる形状を有し、円形状に陥没した略中心部において上下方向（Ａ、Ｂ方向）に底板５を貫通する水抜き孔８を形成している。
水抜き孔８は、水抜き螺子１０の螺子形状に略嵌りあう形状に形成されて、水抜き螺子１０と螺合する。このとき、水抜き孔８は、水抜き螺子１０と螺合した場合に両者の間に空隙を生じるように形成されており、抜き孔８と水抜き螺子１０の空隙は、水抜き孔８に水抜き螺子１０を螺合させる深さに応じて排水可能な程度のものである。
網状構造体４は、花立て本体２の内径と略同一径の円盤形状の外観を呈しており、その内部を網目状に構成している。また、濾過板３は、花立て本体２の内径と略同一径の円盤厚板状体を上下方向（Ａ、Ｂ方向）に貫通する孔部７を複数形成してなる。
【００１２】
花立て１は、開口した上方側から花立て本体２と底面部によって形成される空間内（以下、単に、花立て１の内側ということがある。）に、水を注がれるとともに花卉を配置され、図３に示すように花立て台１２に収められて使用される。
【００１３】
水抜き孔８と水抜き螺子１０は、花立て１に注がれた水の流出を調節する機能を有する。
花立て本体２は、底板５に設けた水抜き孔８に水抜き螺子１０をＢ方向に充分な深さまで螺合した状態となることで、水抜き孔８からの水の流出を防止できる。このとき、コーティング部６によって花立て本体２の底面部と底板５の隙間からの漏水も防止されており、したがって、花立て１は、底面部から外側への水の流出を停止できる。
花立て１は、底板５に設けた水抜き孔８から水抜き螺子１０をA方向に退出させ、水抜き螺子１０の水抜き孔８へ螺合する深さを浅くした状態になると、水抜き孔８と水抜き螺子の空隙を通って、花立て内部に注がれた水が流出するようになる。そして、花立て１は、水抜き螺子１０をＡ方向に更に退出させ、水抜き孔８との螺合の深さを更に浅くした状態になると、水抜き孔８と水抜き螺子１０の空隙からの水の流出が多くなる。逆に、花立て１は、水抜き螺子１０をB方向に進出させ、水抜き孔８との螺合の深さを深くした状態になると、水抜き孔８と水抜き螺子１０の空隙からの水の流出が少なくなる。
したがって、花立て１は、水抜き孔８に水抜き螺子１０を螺合させる深さを、水抜き螺子１０を適宜進出、退出させることにより、花立て１の内側からの水の流出を自在に調節できるものとなる。
【００１４】
なお、花立て１の外部に流出した水は、例えば図３に示すように花立て１を収める花立て台１２に排水路１１を設けていれば、排水路１１から排出可能である。
【００１５】
濾過板３は、花立て１に注がれた水に塵等が混ざっている場合に、孔部７よりも大きな塵を除去する機能を有する。
花立て１の内部には、水が注がれる他、花卉が配置されるため、花弁や葉の他、花卉に付着していた土や塵（以下、混在塵という。）が水中に紛れ込む虞がある。また、花立て１は、上方側を開口しているため、外部から塵を紛れ込ませてしまう虞がある。このような場合、水中に紛れ込んだ花弁、葉、土や塵などが、花立て１からの水の流出に伴う水抜き孔８に向かう水の流れに引き込まれて、水抜き孔８に目詰まりを生じさせる虞がある。
したがって、花立て３は、水抜き孔８の上方に濾過板３を設けることにより、孔部７よりも大きな混在塵を、孔部７を通過させないことによって水抜き穴８に向かわせないようにして、水抜き孔８の目詰まりを抑えることができる。
【００１６】
網状構造体４は、花立て１に注がれた水の混在塵を除去する機能を有する。
網状構造体４は、混在塵を、網目状の構造を通過させないことで水抜き孔８に向かわせないようにして、水抜き孔８の目詰まりを抑えることができる。
【００１７】
なお、本発明の花立て１において、水抜き孔８の深さ（図２におけるＲ（以下、深さＲという。））は、３ｍｍから７ｍｍであることが好ましく、５ｍｍ程度であることがより好ましい。深さＲが余りに浅いと、水抜き孔８と水抜き螺子１０が十分に螺合できない虞があり、深さＲが余りに深いと、その深さまで水抜き孔８に水抜き螺子１０を進出させるに到る前に、花立て１は水の流出のない状態となり、更に水抜き穴８に抜き螺子１０を進出させても、花立て１は水の流出のない状態を保持するだけに留まるという虞がある。
【００１８】
水抜き孔８の口径（図２におけるＮ）は、花立て本体２の大きさや、底板５の材質などに応じて適宜選択可能であるが、３ｍｍから６ｍｍ程度であることが好ましい。水抜き孔８の口径が余りに小さいと、十分な水の流出を確保できず、水抜き孔８の口径が余りに大きいと、水が流れ出る際の水抜き螺子１０による流出速度の調整が難しくなる虞がある。
水抜き螺子１０の口径は、花立て本体２の大きさや、底板５の材質などに応じて適宜選択可能であるが、水抜き螺子１０は水抜き孔８に螺合できるものであればよい。また、水抜き螺子１０の長さは、花立て本体に注がれる水の量等に応じて適宜選択可能である。
【００１９】
底板５は、注がれた水の重量を支えることができる程度の強度を備えて、水抜き螺子１０と水抜き孔８の挿脱によって水の流出を調整可能な程度に厚みを有するように適宜選択可能であるが、底板５の厚み（図２におけるＤ）は、１０ｍｍから１３ｍｍであることが好ましい。この厚みが余りに厚いと、花立て１は製造コストのかかるものとなってしまい、厚みが余りに薄いと、底板５は、花立て１に注がれる水の重量を支えきれない虞がある。
【００２０】
また、濾過板３に形成される孔部７の口径は、孔部７の穿設数等に応じて適宜選択可能であるが、２ｍｍから４ｍｍ程度であることが好ましい。孔部７の口径が余りに小さすぎると、水の流出が遅くなって、花卉の腐敗に伴う悪臭が大きくなるまで花立て本体２内部に水が溜まったままになる虞があり、孔部７の口径が余りに大きすぎ、水抜き孔８よりも余りに大きなものとなると、大きな塵が水抜き孔８に到達して目詰まりを生じさせる虞がある。
濾過板３の大きさは、水抜き孔８を覆うこと可能な程度の大きさがあればよい。また、濾過板３の厚みは、その材料などに応じて適宜選択可能であるが、３ｍｍ程度であることが好ましい。濾過板３の厚みが余りに厚いと、花立て１の重量が重くなり、濾過板３の厚みが余り薄いと、花立て１に水が注がれる場合等において、濾過板３が水中を浮遊してしまう虞がある。
【００２１】
網状構造体４の外形の厚みは、網状構造体４内に形成される網目の大きさ等に応じて適宜選択可能であるが、７ｍｍ程度であることが好ましい。網状構造体４の厚みが余りに厚いと、水の流出速度が遅くなり、花卉の腐敗に伴う悪臭が大きくなるまで花立て１の内側に水が滞留する虞があり、網状構造体４の外形の厚みが余りに薄いと、混在塵が水抜き孔８に到達して目詰まりを生じさせる虞がある。
なお、網状構造体４の大きさは、水抜き孔８を覆うこと可能な程度の大きさがあればよい。
【００２２】
また、花立て１における花立て本体２、底板５、濾過板３、水抜き螺子１０の材料としては、発泡体、樹脂材、ガラス材、石材、陶器、磁器、ステンレス、セラミック、表面を防腐・撥水コーティングした木材などの材料を適宜選択可能であるが、水に濡れても腐食しない材料であることが好ましい。
網状構造体４の材料としては、レーヨン、コットン、パルプ、ポリビニルアルコール繊維等の親水性繊維の他、ポリエチレン、ポリプロピレン等のポリオレフィン系繊維、ポリエステル繊維、ナイロン等のポリアミド系繊維、ポリアクリロニトリル系繊維等といった疎水性繊維や、これらの繊維の芯鞘型繊維やサイドバイサイド型繊維等の複合繊維等を材料として、これらの繊維を絡合させてなる不織布シートや、これらの繊維からなる布や、これらを単層、あるいは重層化したもの等を適宜採用可能であり、また、細長形状の金属からなるスチールウールや、ガラス繊維を絡合させてなる構造体などを採用してもよい。
【００２３】
コーティング部６の材料としては、底板５と花立て本体２の間からの漏水を防止して、底板５を花立て本体２に固着可能なものを適宜選択可能であるが、シリコン樹脂や接着剤等の材料が例示できる。なお、花立て１は、底板５と花立て本体２の材料にステンレス等を採用して両者を溶接し、コーティング部６を設けずに構成してもよい。
【００２４】
本発明の花立て１は、水分を浸透可能な水浸透部材を、花立て１に注がれた水に接するとともに、花立て１の内側から外側まで連なるように、水抜き部材及び／又は水抜き孔８に設けてもよい。
図５は、本発明の花立て１に水浸透部材を設けた実施例の１つを示す部分破断斜視図である。この花立て１は、底板５に水抜き孔８を形成するとともに、水抜き孔８に挿脱可能に水抜き部材としての水抜き螺子１０を設け、水抜き孔８と水抜き螺子１０との間に水浸透部材２０を配設し、水抜き螺子１０の表面に水浸透部材２１を形成している。そして、水浸透部材２０、２１は、花立て１の内側から外側まで連なるように配置されている。
【００２５】
水浸透部材２０、２１は、花立て1の内側の水と接して水をその内部に浸透させるものであり、花立て１の内側から外側まで連なるように水抜き孔８と水抜き螺子１０の隙間位置に配置されている。したがって、水浸透部材２０、２１は、水抜き孔８と水抜き螺子１０の隙間位置の乾燥を抑制する機能を有する。
【００２６】
ここで、花立て１に注がれた水が水抜き孔８と水抜き螺子１０の空隙を流出し、内側に残存する水が少量になると、水の流出は水の流出開始時よりも遅くなる。水の流出が遅くなると、花立て１の内側の水は水抜き孔８と水抜き螺子１０の空隙を通過する間に蒸発しやすくなり、水抜き孔８と水抜き螺子１０が乾燥しやすくなる。水抜き穴８と水抜き螺子１０が乾燥してしまうと、水の流出が更に遅くなるため、水の流出の効率が低下する虞がある。
花立て１は、上記したように水浸透部材２０、２１により、水抜き孔８と水抜き螺子１０の乾燥を抑制可能なものであるから、水の流出の効率が低下することを抑止可能なものである。
【００２７】
なお、本発明において、水浸透部材は、水抜き穴８水抜き螺子１０のいずれか一方に設けてもよく、水抜き螺子１０の全体を水浸透部材で形成してもよい。
また、水浸透部材の材料としては、水を浸透可能なものを適宜選択可能であるが、脱脂綿、パルプ等を具体的に例示できる。
【００２８】
本発明の花立て１は、底板５のいずれの位置に水抜き孔８を設けてもよい。
また、底板５の形状は板状でなくともよく、例えば、花立て１は、底板５を水抜き孔８に向かって傾斜するように形成してもよい。このように構成すれば、水の流出に伴い、内部の水の残存量が少なくなっても、水抜き穴８に向かって水が流れやすいため、効率よい水の流出が可能となる。
【００２９】
本発明の花立て１は、水抜き孔８を複数設けてもよい。このような花立て１は、注がれた水を流出させる水抜き孔８の数を変更でき、広範囲に水の流出の調節可能なものとなる。また、この花立て１において、花立て１の内側からの水の流出を少なくするには、１つの水抜き孔８からのみ水の流出が行われるとともに、その水抜き孔８からの水の流出を抑えればよく、花立て１の内側からの水の流出をできるだけ多くするには、複数の水抜き孔８全てから水の流出が行われるとともに、個々の水抜き孔８からの水の流出も多くなるようにすればよいから、水を流出させる水抜き孔８の個数と、個々の水抜き孔８からの水の流出の多少のいずれによっても水の流出を調節可能である。したがって、この花立て１は、より多様に水の流出を調節可能なものとなる。
さらに、このような花立て１は、水抜き螺子１０の螺子溝の欠損等によって、水抜き孔８に水抜き螺子１０がうまく嵌め込めない状態になった場合に、その水抜き孔８をテープ等で塞いで他の水抜き孔８から水の流出を行うようにすることも可能である。したがって、このような花立て１は、水抜き孔８を１つ備える花立てよりも長い期間使用可能なものとなる。
【００３０】
本発明の花立てにおいて、水抜き部材は、水抜き螺子１０に限定されず、図４に示すように、細長円柱状の結束線を複数集めて略円形状の外観を呈するように形成した結束構造体１４を複数束ねて、略円形状の外観を呈するように形成した結束体１３であってもよい。この花立て１は、底板５に形成された水抜き孔８に結束体１３を挿脱可能に設けている。
この花立て１の内側に注がれた水は、結束線と結束線の隙間や結束構造体と結束構造体の隙間等を通って花立て１の外側へ流出する。この場合、花立て１は、結束体１３を構成する結束構造体１４の本数の加減に応じて、水抜き孔８から流出する水の量を調節することができる。
なお、水抜き孔８の結束体１３に相対向する位置における形状は、花立て１の内側に注がれた水の重量によって結束体１３が容易に落下しないように形成されていれば、特に限定されない。
また、花立て１において、結束体１３は、その周囲に布等を巻いて、水抜き孔８に配設されてもよい。このように構成すれば、布の摩擦力により、花立て１は、水抜き孔８から結束体１３の落下をより抑制できるものとなり、結束体１３より一部の結束構造体１４を取り除いて水の流出の多い状態としても、水抜き孔８から結束体１３の落下を充分に抑制できる。
また、花立て１は、結束構造体１４を水抜き孔８に挿脱自在に配設してもよい。
【００３１】
この花立て１において、結束体１３の外径は、結束構造体１４の外形等に応じて適宜選択可能であるが、２ｍｍから４ｍｍであることが好ましく３ｍｍ程度であることが好ましい。結束体１３の外径が余り大きいと、水の流出が多くなりすぎる虞があり、結束体１３の外径が余り小さいと、水の流出が少なくなりすぎる虞がある。また、結束体１３を形成する結束構造体１４の本数は、結束構造体１４の外径や、結束構造体１４を構成する結束線の本数等に応じて適宜選択可能であるが、３２本程度であること好ましい。結束体１３を形成する結束構造体１４の本数が余りに多いと、結束構造体１４の隙間の大きさが小さくなって、水の流出が遅くなりすぎる虞があり、結束体１３を形成する結束構造体１４の本数が余りに少ないと、結束構造体１４の隙間の大きさが大きくなって、水の流出が速くなりすぎる虞がある。
なお、この花立ては、水浸透部材を結束線と結束線の隙間に挿入して、水浸透部材を設けた結束体を水抜き部材として形成してもよい。
【００３２】
結束線の材料としては、適宜採用可能であるが、光ファイバ、金属線、グラスファイバ、樹脂からなる細長円柱状の構造体等を例示できる。
【００３３】
本発明の花立て１は、混在塵によって水抜き孔８の目詰まりを抑制するために、水抜き孔８上方に、通水可能な材料からなる構造体を設けてもよい。この構造体としては、高分子発泡体ビーズを各ビーズ間に隙間が生じる程度に低密度に溶着させてなる構造体等を具体的に例示できる。
【００３４】
なお、本発明の花立て１として、網状構造体４の上方に濾過板３を配置した例について説明したが、本発明の花立ては、これに限定されず、濾過板３の上方に網状構造体４を配置してもよく、また、濾過板３及び／又は網状構造体４を含まないように構成してもよい。なお、本発明の花立ては、濾過板３及び／又は網状構造体４を含まないことにより、花立ては、その内側の混在塵により水抜き孔８の目詰まりの虞あるものとなるが、その構造を単純化することができる。
【図面の簡単な説明】
【００３５】
【図１】本発明における花立ての実施例の一つを説明するための部分破断斜視図である。
【図２】図１のI―I断面図である。
【図３】本発明における花立ての使用例の一つを説明するための断面図である。
【図４】本発明のおける花立ての他の実施例を説明するための、図１のI―I断面図に相当する図面である。
【図５】本発明における花立ての他の実施例に使用可能な底板を説明するための部分破断斜視図である。
【符号の説明】
【００３６】
１  花立て
２  花立て本体
３  濾過板
４  網状構造体
５  底板
６  コーティング部
７  孔部
８  水抜き孔  
１０  水抜き螺子
１１  排水路
１２  花立て台
１３  結束体
１４  結束構造体
２０、２１  水浸透部材
【図１】
2005155050.tif 000003
【図２】
2005155050.tif 000004
【図３】
2005155050.tif 000005
【図４】
2005155050.tif 000006
【図５】
2005155050.tif 000007